(57)【要約】  本発明は、搬送部により搬送されている搬送物に紫外線ラインビームを照射して殺菌処理する技術に関し、上部光源モジュールおよび下部光源モジュールを有し、コンベアにより搬送される個人所持品の上部面および下部面に紫外線ラインビームを照射する紫外線光源部と、上部光源モジュールおよび下部光源モジュールから出射される紫外線ラインビームを反射させて個人所持品の左右側面に照射する左右側反射板、および紫外線ラインビームを反射させて個人所持品の前後面に照射する楔型反射板を有する反射板部と、コンベア上に間隔をおいて一列に設けられた複数のセンサを有し、個人所持品の搬送位置の検知信号を出力するセンサ部と、検知信号とユーザの設定情報に応じて、パルス幅変調信号およびスイッチング制御信号を出力する制御部とを備えることを特徴とする。【選択図】図１
2021535763.tif 000002
【特許請求の範囲】
【請求項１】
上部光源モジュールおよび下部光源モジュールを有し、コンベアにより搬送される個人所持品の上部面および下部面に紫外線ラインビームを照射する紫外線光源部と、
前記上部光源モジュールおよび前記下部光源モジュールから出射される紫外線ラインビームを反射させて前記個人所持品の左右側面に照射する左右側反射板、および前記紫外線ラインビームを反射させて前記個人所持品の前後面に照射する楔型反射板を有する反射板部と、
前記コンベアの搬入部コンベアおよび搬出部コンベア上に間隔をおいて一列に設けられた複数のセンサを有し、前記個人所持品の搬送位置を検出して、これによるそれぞれの検知信号を出力するセンサ部と、
前記検知信号およびユーザの設定情報に応じて、パルス幅変調信号およびスイッチング制御信号を出力する制御部と、
コンベア用モータを駆動させ、前記スイッチング制御信号によって反射板用モータを駆動させて、前記楔型反射板を反射位置または非反射位置に回転させるモータ駆動部とを備える紫外線ラインビーム殺菌器。
【請求項２】
前記上部光源モジュールおよび前記下部光源モジュールの光源がＬＥＤである請求項１に記載の紫外線ラインビーム殺菌器。
【請求項３】
前記上部光源モジュールおよび前記下部光源モジュールは、
紫外線ラインビームを出射する少なくとも１つのＬＥＤと、
該ＬＥＤから面発光して入射するガウシアンビームを均一に拡散させ、一方の方向に長く伸ばす丸棒レンズとをそれぞれ有する請求項１に記載の紫外線ラインビーム殺菌器。
【請求項４】
前記丸棒レンズは、
少なくとも１つ設けられるが、複数設けられた場合には、並んで配列された構造を有する請求項３に記載の紫外線ラインビーム殺菌器。
【請求項５】
前記コンベアの搬入部コンベアと該搬出部コンベアとの間に設けられた透過型ウィンドウを備える請求項１に記載の紫外線ラインビーム殺菌器。
【請求項６】
前記楔型反射板は、
前記透過型ウィンドウの上部に設けられるが、
前記個人所持品が前記搬入部コンベアにより搬送される時、前記上部光源モジュールから出射される前記紫外線ラインビームを反射させて前記個人所持品の前面に照射し、
前記個人所持品が前記搬出部コンベアにより搬送される時、前記下部光源モジュールから出射される前記紫外線ラインビームを反射させて前記個人所持品の後面に照射する請求項５に記載の紫外線ラインビーム殺菌器。
【請求項７】
前記楔型反射板は、
前記制御部の制御により駆動される前記反射板用モータによって回転し、
詳細には、前記反射板用モータの駆動軸に結合された一対の反射板用アームによって前記上部光源モジュールおよび前記下部光源モジュールの光源から出射される前記紫外線ラインビームの反射位置に回転するか、前記反射位置から外れるように回転する請求項１に記載の紫外線ラインビーム殺菌器。
【請求項８】
前記上部光源モジュールおよび前記下部光源モジュールから出射される前記紫外線ラインビームが外部に漏れるのを防止するために、前記コンベアの入口および出口にそれぞれ設けられ、シャッタ方式で動作する紫外線遮断用シャッタを備える請求項１に記載の紫外線ラインビーム殺菌器。
【請求項９】
前記センサ部は、
前記個人所持品が前記搬入部コンベア上の搬入位置に到着することを検知して、これによる第１検知信号を出力する第１光検知センサと、
前記個人所持品が前記搬入位置から外れることを検知して、これによる第２検知信号を出力する第２光検知センサと、
前記個人所持品が前記搬出部コンベアに搬入されることを検知して、これによる第３検知信号を出力する第３光検知センサと、
前記個人所持品が前記搬出部コンベアの縦端部に搬入されることを検知して、これによる第４検知信号を出力する第４光検知センサとを有する請求項１に記載の紫外線ラインビーム殺菌器。
【請求項１０】
前記個人所持品は、携帯電話、玩具、携帯用医療機器のいずれか１つである請求項１に記載の紫外線ラインビーム殺菌器。
【発明の詳細な説明】
【技術分野】
【０００１】
本発明は、搬送部により搬送されている搬送物を紫外線で殺菌する技術に関し、より詳しくは、学校、療養施設のように免疫力の弱い人々が収容された施設や公共機関、軍部隊などのような集団生活施設でコンベアのような搬送手段により個人所持品などを搬送させながら、その所持品の表面に紫外線ラインビームを出射して大膓菌、食中毒菌およびウイルスなどを迅速に大量殺菌処理できるようにした紫外線ラインビーム殺菌器に関する。
【背景技術】
【０００２】
近年、個人衛生への関心が次第に高まるにつれ、紫外線（ＵＶ）殺菌器に関する研究開発が活発に行われている。個人衛生管理に関連する個人所持品には携帯電話、玩具、携帯用医療機器などがあるが、なかでも特に、携帯電話は人々が一日中最も多く接触するものであるだけでなく、汚染の程度がひどくて殺菌処理を必要とする。さらに、携帯電話の場合、細菌増殖および感染を勘案して周期的に殺菌処理する必要がある。
【０００３】
従来技術による個人所持品殺菌器として、水銀ランプを用いて紫外線を発する保管型紫外線殺菌器が広く用いられている。このような従来の紫外線殺菌器は、ボックス型保管箱内で光源の水銀ランプから発する紫外線を用いて物品を殺菌するようになっている。
【０００４】
また、他の従来の紫外線殺菌器は、殺菌対象としてコンベア上で搬送されている搬送物である物品に紫外線を発する時、均一に発することができないので搬送物が均一に殺菌されず、搬送物の底面を殺菌するために金網形態で穴のあいたコンベアベルトを用いなければならないという欠点がある。また、従来の紫外線殺菌器は、殺菌力が弱いため長い時間、例えば、数十分から数時間殺菌をしなければならないなどの非効率的な問題点がある。
【０００５】
従来技術による紫外線殺菌器の一例として、特許文献１がある。この従来技術では、一定値以上の光エネルギーを得るために１０分〜１時間程度のウォームアップ（ｗａｒｍ−ｕｐ）時間を必要とするため、コンベアに積載されて搬送されている搬送物を直ちに殺菌するのに困難がある。
【０００６】
最近、ＬＥＤ（Ｌｉｇｈｔ  Ｅｍｉｔｔｉｎｇ  Ｄｉｏｄｅ）、ＬＤ（Ｌａｓｅｒ  Ｄｉｏｄｅ）などが開発され、水銀ランプの代替光源として注目されている。特に、ＬＥＤ光源はサイズが小さくて所望の波長帯域のみを選択してウォームアップ（ｗａｒｍ  ｕｐ）時間なしに使用可能であり、寿命が数万時間に達し、環境にやさしいという利点がある。
【０００７】
ただし、殺菌力に優れた紫外線帯域（２５０〜２８０ｎｍ）の光を発するＬＥＤの価格が高いという欠点がある。例えば、４０５ｎｍ帯域の紫外線を発するＬＥＤの価格は、２５０〜２８０ｎｍ（ＵＶ−Ｃ）帯域の紫外線を発する光源の価格に比べて非常に安価であるが、殺菌力は約１，０００倍程度弱く、主に長時間殺菌が可能なものを殺菌する殺菌器の光源として用いられている。
【０００８】
このように、従来技術によるＬＥＤ光源を用いる紫外線殺菌器は、光量不足で数分から数時間紫外線を出射しなければならず、均一な殺菌が難しくて保管型殺菌器に適用されている。ＬＥＤ光源を用い、コンベアに適用される従来の紫外線殺菌器の場合、光学系を経ることなく殺菌対象物に直接紫外線を出射する方式で実現され、殺菌効率が低下し、人体に有害な紫外線が外部に漏れる問題点がある。
【先行技術文献】
【特許文献】
【０００９】
【特許文献１】韓国特許登録第１０００４３８５７００００号公報
【発明の概要】
【発明が解決しようとする課題】
【００１０】
本発明が解決しようとする課題は、防疫を必要とする公共場所で個人用所持品をコンベアにより搬送させながらその全体表面を紫外線ラインビームで殺菌処理する時、比較的少ない数の紫外線光源と反射板を用いて個人用所持品を短時間に均一に殺菌処理することである。
本発明が解決しようとする他の課題は、紫外線光源と反射板を用いて個人用所持品を殺菌処理する時、紫外線が外部に漏れないように遮断することである。
【課題を解決するための手段】
【００１１】
上記の技術的課題を達成するための、本発明の一態様に係る紫外線ラインビーム殺菌器は、上部光源モジュールおよび下部光源モジュールを有し備え、コンベアにより搬送される個人所持品の上部面および下部面に紫外線ラインビームを照射する紫外線光源部と、前記上部光源モジュールおよび前記下部光源モジュールから出射される紫外線ラインビームを反射させて前記個人所持品の左右側面に照射する左右側反射板、および前記紫外線ラインビームを反射させて前記個人所持品の前後面に照射する楔型反射板を有する反射板部と、前記コンベアの搬入部コンベアおよび搬出部コンベア上に間隔をおいて一列に設けられた複数のセンサを有し、前記個人所持品の搬送位置を検出して、これによるそれぞれの検知信号を出力するセンサ部と、前記検知信号およびユーザの設定情報に応じて、パルス幅変調信号およびスイッチング制御信号を出力する制御部と、コンベア用モータを駆動させ、前記スイッチング制御信号によって反射板用モータを駆動させて、前記楔型反射板を反射位置または非反射位置に回転させるモータ駆動部とを備える。
【発明の効果】
【００１２】
本態様に係る紫外線ラインビーム殺菌器は、防疫を必要とする公共場所で個人用所持品をコンベアにより搬送させながらその全体表面を紫外線ラインビームで殺菌処理する時、紫外線ラインビームを用いて個人用所持品の上下部面を直接殺菌処理し、残りの面は反射板を用いて殺菌処理することにより、個人用所持品の大きさや形状に何ら影響を受けることなく、より少ない数の光源を用いて短時間に均一に高出力で殺菌処理できる効果がある。
【図面の簡単な説明】
【００１３】
【図１】本発明の一実施形態に係る紫外線ラインビーム殺菌器のブロック図である。
【図２】本発明の一実施形態に係る紫外線ラインビーム殺菌器が適用されたコンベアの外観斜視図である。
【図３】本発明の一実施形態に係る紫外線ラインビーム殺菌器が適用されたコンベアの斜視図である。
【図４】（ａ）、（ｂ）は、本発明の上下部光源モジュールの詳細図である。
【図５】本発明の上下部光源モジュールの紫外線ラインビームの出射および反射の説明図である。
【図６】（ａ）〜（ｃ）は、本発明の楔型反射板の反射原理の説明図である。
【図７】（ａ）、（ｂ）は、本発明の紫外線遮断用シャッタの動作説明図である。
【図８】（ａ）、（ｂ）は、本発明の楔型反射板の動作説明図である。
【図９】本発明の一実施形態に係る紫外線ラインビーム殺菌器の紫外線殺菌処理のフローチャートである。
【発明を実施するための形態】
【００１４】
以下、添付した図面を参照して、本発明の好ましい実施形態について詳しく説明する。
図１は、本発明の一実施形態に係る紫外線ラインビーム殺菌器のブロック図であり、図２は、本発明の一実施形態に係る紫外線ラインビーム殺菌器が適用されたコンベアの外観斜視図であり、図３は、本発明の一実施形態に係る紫外線ラインビーム殺菌器が適用されたコンベアの斜視図である。図４〜図８は、本発明の一実施形態に係る紫外線ラインビーム殺菌器の部分詳細図である。
【００１５】
図１を参照すれば、本発明の一実施形態に係る紫外線ラインビーム殺菌器１００は、紫外線光源部１１０と、反射板部１２０と、センサ部１３０と、操作部１４０と、制御部１５０と、光源駆動部１６０と、モータ駆動部１７０と、表示部１８０と、電源部１９０とを備える。
【００１６】
紫外線ラインビーム殺菌器１００は、コンベア２００により搬送されている個人所持品３００の殺菌処理のために、その個人所持品３００の全体表面に直接または反射した紫外線ラインビームを出射する。個人所持品３００としては、携帯電話、玩具、携帯用医療機器などがあり、本実施形態においては、携帯電話を一例として説明する。
【００１７】
コンベア２００は、所定の間隔をおいて設けられた搬入部コンベア２１０および搬出部コンベア２２０を有する。搬入部コンベア２１０および搬出部コンベア２２０の搬送面の材質は特に限定されず、例えば、ウレタン、ゴム、プラスチックのような柔らかい材質が使用できる。搬入部コンベア２１０と搬出部コンベア２２０との間には透過型ウィンドウ２３０が設けられる。透過型ウィンドウ２３０は、個人所持品３００が搬入部コンベア２１０と搬出部コンベア２２０との間を通る時に下部に落下するのを防止し、下部光源モジュール１１２から出射される紫外線ラインビームを透過させて個人所持品３００の下部面に照射されるようにする役割を果たす。
【００１８】
紫外線光源部１１０は、コンベア２００により搬送される個人所持品３００の上部面および下部面に放射光形態の紫外線ラインビームをそれぞれ照射する。このために、紫外線光源部１１０は、透過型ウィンドウ２３０の上部に設けられた上部光源モジュール１１１と、透過型ウィンドウ２３０の下部に設けられた下部光源モジュール１１２とを有する。上部光源モジュール１１１および下部光源モジュール１１２の構造および機能は同一である。上部光源モジュール１１１および下部光源モジュール１１２に用いられる光源の種類は特に限定されず、本実施形態においては、ＬＥＤ光源を用いて面形態の紫外線ラインビームを出射することを一例とする。
【００１９】
図４を参照すれば、上部光源モジュール１１１は、１つ以上のＬＥＤ１１３Ａ〜１１３Ｃおよび丸棒レンズ１１４を有する。丸棒レンズ１１４は、ＬＥＤ１１３Ａ〜１１３Ｃから出射される光を面形態のラインビームに変換して出射する役割を果たす。
【００２０】
すなわち、丸棒レンズ１１４は、ＬＥＤ１１３Ａ〜１１３Ｃから面発光して入射するガウシアンビームを均一に拡散させ、一方の方向に長く伸ばす役割を果たす。丸棒レンズ１１４は、入射するビームを水平方向に伸ばし、垂直方向には平行光形態でビーム幅を減らして通過させる。より多い数のＬＥＤを丸棒レンズ１１４の長手方向に並んで配列すると、ビームを縦方向により均一化できる。この時、丸棒レンズ１１４の曲率は一般的に球面であるが、放物面または非球面であってもよい。
【００２１】
ＬＥＤ１１３Ａ〜１１３Ｃと丸棒レンズ１１４との間の距離を一定値（例：２ｍｍ）以下と近づけることで、丸棒レンズ１１４の外へ広がるエネルギー損失が最小化されるようにした。そして、丸棒レンズ１１４とビーム照射面１１５との間の距離を一定値（例：４０ｍｍ）に維持させることで、ビームの拡散を低減して比較的表面を均一に殺菌処理することができる。
【００２２】
丸棒レンズ１１４の材質は特に限定されないが、紫外線透過率が極めて低い一般ガラスは用いず、紫外線を透過させることができるＦｌｕｏｒｉｄｅ系（ＣａＦ２、ＭｇＦ２）であるＳａｐｐｈｉｒｅ、ＰＹＲＥＸ（登録商標）、Ｆｕｓｅｄ  Ｓｉｌｉｃａ、Ｑｕａｒｔｚ（ＳｉＯ２）、Ｃｈｌｏｒｉｄｅ系を使用することが好ましい。これらの屈折率は１．４〜１．５と低く、透過率は最大９０％前後である。シリカ（Ｓｉｌｉｃａ）や水晶（Ｑｕａｒｔｚ）は品質によって差があるが、真空紫外線（ＶＵＶ）まで透過させることができ、紫外線フューズドシリカ（ＵＶ  Ｆｕｓｅｄ  Ｓｉｌｉｃａ）は、紫外線から近赤外線までの高透過率、優れた加工精度を有し、温度変化による環境性に優れ、紫外線用材質として最も多く使用される。これを勘案して、紫外線光源部１１０で用いられるすべてのレンズはＵＶ  Ｇｒａｄｅ  Ｆｕｓｅｄ  Ｓｉｌｉｃａ材質を使用し、これらのレンズは２６５ｎｍ波長の紫外線に対して１．４６の屈折率を有し、６７．８のアッベ数を有する。
【００２３】
また、レンズは、非反射コーティングされてＵＶ−Ｃ波長帯域で波長の紫外線の反射率が約１．０％以下である。そして、レンズは、紫外線透過率が良いＺｒＯ２（高屈折物質）とＳｉＯ２（低屈折物質）で非反射コーティングされるが、この場合、透過率が向上する。
【００２４】
紫外線光源部１１０から照射されるＵＶ−Ｃ波長のエネルギー密度は特に限定されず、本実施形態においては４０ｍＷ／ｃｍ２／ｓｅｃである。実験結果によれば、紫外線ラインビームのエネルギー出力が１０ｍＷ／ｃｍ２／ｓｅｃの場合、大膓菌と食中毒菌が大部分殺菌され、１００ｍＷ／ｃｍ２／ｓｅｃの場合には、大部分のウイルスが殺菌されることが確認された。
【００２５】
そして、紫外線光源部１１０から照射される紫外線ラインビームの大きさは、長手方向に９０ｍｍ程度であり、幅は１０ｍｍである。実験結果によれば、この場合、秒あたり５０ｍｍ×９０ｍｍの面積の大膓菌と食中毒菌を殺菌できることが確認され、これは携帯電話を３秒前後で殺菌できる出力である。
【００２６】
上部光源モジュール１１１および下部光源モジュール１１２において、光源は特に限定されない。例えば、光源の波長は２７８ｎｍであり、出力は０．１Ｗであり、大きさは１×１ｍｍであり、ビームの発散角は数十度以上であってもよい。
【００２７】
上部光源モジュール１１１および下部光源モジュール１１２の設置位置を調整して、これらから出射される紫外線ラインビームの大きさ、位置および方向を調節することができる。上部光源モジュール１１１および下部光源モジュール１１２は、個人所持品３００の大きさに対応してそれぞれ直列に追加配列されてもよい。
【００２８】
したがって、図５に示されるのように、上部光源モジュール１１１から出射される紫外線ラインビームが直接個人所持品３００の上部面に照射されてその上部面が殺菌され、下部光源モジュール１１２から出射される紫外線ラインビームは、透過型ウィンドウ２３０を通して個人所持品３００の下部面に照射されてその下部面が殺菌される。
【００２９】
反射板部１２０は、左側反射板１２１と、右側反射板１２２と、楔型反射板１２３とを有する。図５に示されるように、左側反射板１２１は、上部光源モジュール１１１から出射される左側の紫外線ラインビームを所定角度（例：６０±１５度）で反射させて個人所持品３００の左側面に照射され、これによってその左側面が殺菌される。右側反射板１２２は、上部光源モジュール１１１から出射される右側の紫外線ラインビームを所定角度で反射させて個人所持品３００の右側面を照射し、これによってその右側面が殺菌される。楔型反射板１２３は、上部光源モジュール１１１から出射される紫外線ラインビームを反射させて個人所持品３００の前面部に照射し、下部光源モジュール１１２から出射される紫外線ラインビームを反射させて個人所持品３００の後面部に照射する役割を果たす。
【００３０】
反射板部１２０で用いられる左右側反射板１２１，１２２および楔型反射板１２３の材質としてガラスまたは金属が使用可能であり、平板または直角プリズム形状を有することができる。この場合、レンズに入射する光源の強度が大きければ、ガラス材質とは異なり、金属材質は熱によって変形しうるので、光源の強度を考慮する必要がある。反射板は、紫外線ビームの損失を最小化できるようにアルミニウムでコーティングされ、誘電体多層薄膜フィルムでコーティングされる場合、紫外線の反射率をより高めることができる。
【００３１】
センサ部１３０は、第１〜第４光センサ１３１〜１３４を有する。第１光センサ１３１は、個人所持品３００が搬入部コンベア２１０上の搬入位置に到着することを検知して、これによる第１検知信号ＳＥＮ１を出力する。第２光検知センサ１３２は、個人所持品３００が搬入位置から外れることを検知して、これによる第２検知信号ＳＥＮ２を出力する。第３光検知センサ１３３は、個人所持品３００が搬出部コンベア２２０に搬入されることを検知して、これによる第３検知信号ＳＥＮ３を出力する。第４光検知センサ１３４は、個人所持品３００が搬出部コンベア２２０の縦端部に搬入されることを検知して、これによる第４検知信号ＳＥＮ４を出力する。
【００３２】
操作部１４０は、紫外線ラインビーム殺菌器１００を用いて個人所持品３００の表面に紫外線ラインビームを照射して殺菌処理する時、殺菌時間、殺菌エネルギー、開始および終了などをユーザが設定できるように設定情報ＳＥＴを伝送するユーザインターフェース機能を具備する。操作部１４０は、物理的なボタンで実現されるか、表示部１８０にタッチパッド形態で実現されてもよい。
【００３３】
制御部１５０は、センサ部１３０から供給される第１〜第４検知信号ＳＥＮ１〜ＳＥＮ４と、操作部１４０から供給される設定情報ＳＥＴに応じて、駆動制御信号ＣＴＬ＿ＤＲ、パルス幅変調信号ＰＷＭおよび第１、第２スイッチング制御信号ＣＴＬ＿ＳＷ１、ＣＴＬ＿ＳＷ２を出力し、紫外線光源部１１０から供給される出力および状態情報（ＯＵＴ／ＳＴＡＴＥ）による個人所持品３００の数量、紫外線使用時間、エネルギー強度状態を表示するための表示制御信号ＣＴＬ＿ＤＩＳを出力する。制御部１５０は、信号を出力するためにＲＳ−２３２およびＲＳ−４８５などのような直列通信を用いるか、その他の通信方式を用いることができる。例えば、制御部１５０は、センサ部１３０とＳＰＩ（Ｓｅｒｉａｌ  Ｐｅｒｉｐｈｅｒａｌ  Ｉｎｔｅｒｆａｃｅ）通信を行って検知信号ＳＥＮ１〜ＳＥＮ４をリアルタイムに受信する。制御部１５０は、センサ部１３０から供給される検知信号ＳＥＮ１〜ＳＥＮ４と、コンベア２００上における個人所持品３００の搬送時間に基づいて駆動制御信号ＣＴＬ＿ＤＲとパルス幅変調信号ＰＷＭを出力する。
【００３４】
光源駆動部１６０は、制御部１５０から供給される駆動制御信号ＣＴＬ＿ＤＲによって紫外線光源部１１０に駆動電源ＤＶを出力して、それによる出力を有する紫外線ラインビームが出力されるようにする。
【００３５】
モータ駆動部１７０は、制御部１５０から供給されるパルス幅変調信号ＰＷＭによってコンベア用モータを駆動させて、コンベア２００の搬入部コンベア２１０および搬出部コンベア２２０が該当する速度で走行される。そして、モータ駆動部１７０は、第１スイッチング制御信号ＣＴＬ＿ＳＷ１によって一対のシャッタ用モータの駆動を制御して、紫外線遮断用シャッタ１２４，１２５が開放または閉鎖される。そして、モータ駆動部１７０は、第２スイッチング制御信号ＣＴＬ＿ＳＷ２によって反射板用モータを駆動させて、楔型反射板１２３が反射位置または非反射位置に切り替えられる。
表示部１８０は、制御部１５０から供給される表示制御信号ＣＴＬ＿ＤＩＳによって、殺菌処理された個人所持品３００の数量、ＵＶ光源使用時間、エネルギー強度および状態をディスプレイする。
【００３６】
電源部１９０は、紫外線ラインビーム殺菌器１００の各部すなわち、紫外線光源部１１０、反射板部１２０、センサ部１３０、操作部１４０、制御部１５０、光源駆動部１６０、モータ駆動部１７０および表示部１８０に電源を供給する。
一方、図９は、本発明の一実施形態に係る紫外線ラインビーム殺菌器１００の殺菌処理過程を示すフローチャートである。以下、図９を参照して、紫外線ラインビーム殺菌器１００の殺菌処理過程を説明する。
【００３７】
まず、ユーザによって電源部１９０のパワースイッチがオン（ＯＮ）になった時、制御部１５０は、事前点検ステップＳ１を実行する。事前点検ステップは、制御部１５０がシステムの正常動作の可否を点検する動作、例えば、モータ駆動部１７０を、コンベア用モータを駆動させて、コンベア２００が正常に動作するか否か、および光源駆動部１６０を介して紫外線光源部１１０を駆動させて、紫外線光源部１１０が正常に駆動されるか否かを確認するステップが含まれる。そして、事前点検ステップは、ユーザが操作部１４０を介して低速殺菌モード、高速殺菌モード、専門家モードおよび殺菌条件設定モードなどを設定することを制御部１５０が確認するステップがさらに含まれていてもよい。
【００３８】
制御部１５０は、センサ部１３０から第１検知信号ＳＥＮ１が供給されることを確認した後、個人所持品３００に対する前面部殺菌ステップＳ２を実行する。この時、制御部１５０は、モータ駆動部１７０にパルス幅変調信号ＰＷＭを出力してコンベア用モータを駆動させて、搬入部コンベア２１０と搬出部コンベア２２０が走行される。そして、制御部１５０は、モータ駆動部１７０に第１スイッチング制御信号ＣＴＬ＿ＳＷ１を「ハイ」に出力してシャッタ用モータ１７１を正方向に駆動させ、これによって、図７（ａ）のように、シャッタ用アーム（ａｒｍ）１７２が下方向に回転して紫外線遮断用シャッタ１２４、１２５が閉鎖される。
【００３９】
そして、制御部１５０は、モータ駆動部１７０に第２スイッチング制御信号ＣＴＬ＿ＳＷ２を「ハイ」に出力して反射板用モータを正方向に駆動させ、これによって、図６（ａ）および図８（ａ）のように、反射板用モータの駆動軸に結合された一対の反射板用アーム１７３Ｌ、１７３Ｒが下方向に回転して楔型反射板１２３が反射位置に移動する。
【００４０】
そして、制御部１５０は、光源駆動部１６０に駆動制御信号ＣＴＬ＿ＤＲを出力して上部光源モジュール１１１から紫外線ラインビームが出射される。これによって、紫外線光源部１１０から出射される紫外線ラインビームが紫外線遮断用シャッタ１２４、１２５およびこれらの周辺のカバーによって遮断されて外部に照射されない。
【００４１】
そして、図６（ａ）のように、上部光源モジュール１１１から出射される紫外線ラインビームが楔型反射板１２３を介して所定角度（例：４５度）で反射して、搬入部コンベア２１０により搬入されている個人所持品３００の前面部に照射される。
【００４２】
制御部１５０は、センサ部１３０から第２検知信号ＳＥＮ２が供給されることを確認した後、個人所持品３００に対する上下部および左右側面部殺菌ステップＳ３を実行する。この時、制御部１５０は、モータ駆動部１７０に出力されている第２スイッチング制御信号ＣＴＬ＿ＳＷ２を「ロウ」に出力して、図６（ｂ）および図８（ｂ）のように、楔型反射板１２３が非反射位置に移動する。
【００４３】
これによって、図６（ｂ）のように、個人所持品３００が透過型ウィンドウ２３０の上部に位置する時、上部光源モジュール１１１から出射される紫外線ラインビームによって個人所持品３００の上部面が殺菌され、下部光源モジュール１１２から出射される紫外線ラインビームによって個人所持品３００の下部面が殺菌される。この時、左側反射板１２１、右側反射板１２２によって個人所持品３００の左側面と右側面も同時に殺菌される。
【００４４】
制御部１５０は、センサ部１３０から第３検知信号ＳＥＮ３が供給されることを確認した後、個人所持品３００に対する後面部殺菌ステップＳ４を実行する。この時、制御部１５０は、モータ駆動部１７０に出力されている第２スイッチング制御信号ＣＴＬ＿ＳＷ２を「ハイ」に出力して、図６（ｃ）および図８（ａ）のように、楔型反射板１２３が反射位置に移動する。これによって、図６（ｃ）のように、下部光源モジュール１１２から出射される紫外線ラインビームが楔型反射板１２３を介して反射して、搬出部コンベア２２０により搬出されている個人所持品３００の後面部に照射される。
【００４５】
制御部１５０は、センサ部１３０から第４検知信号ＳＥＮ４が供給されることを確認した後、１つの個人所持品３００に対する殺菌終了ステップＳ５を実行する。この時、制御部１５０は、光源駆動部１６０に供給されていた駆動制御信号ＣＴＬ＿ＤＲを遮断して、下部光源モジュール１１２の駆動が中止される。
【００４６】
そして、制御部１５０は、モータ駆動部１７０に第１スイッチング制御信号ＣＴＬ＿ＳＷ１を「ロウ」に出力してシャッタ用モータ１７１を逆方向に駆動させ、これによって、図７（ｂ）のように、シャッタ用アーム（ａｒｍ）１７２が上方向に回転して紫外線遮断用シャッタ１２４、１２５が開放される。そして、制御部１５０は、パルス幅変調信号ＰＷＭを遮断して、搬入部コンベア２１０および搬出部コンベア２２０の走行が中止される。
【００４７】
この状態で、制御部１５０は、再度第１検知信号ＳＥＮ１が供給されるかを確認して、供給されたと判明すれば、他の１つの個人所持品３００に対する紫外線殺菌のために、第２ステップＳ２〜第５ステップＳ５を上記のように繰り返し行う（Ｓ６）。そして、制御部１５０は、第２ステップＳ２〜第５ステップＳ５が行われるたびに、運転回数のカウント値を１ずつ増加させ、その増加したカウント値を格納する。
【００４８】
しかし、確認の結果、第１検知信号ＳＥＮ１が供給されず、ユーザから殺菌終了命令が入力されると、上記のような一連の殺菌処理過程を終了する（Ｓ７）。
【００４９】
以上、本発明の好ましい一実施形態について詳しく説明したが、本発明の権利範囲がこれに限定されるものではなく、以下の特許請求の範囲で定義する本発明の基本概念に基づいてより多様な実施例で実現可能であり、かかる実施例も本発明の権利範囲に属する。
【符号の説明】
【００５０】
１００  紫外線ラインビーム殺菌器
１１０  紫外線光源部
１１１  上部光源モジュール
１１２  下部光源モジュール
１１３Ａ〜１１３Ｃ  ＬＥＤ
１１４  丸棒レンズ
１２０  反射板部
１３０  センサ部
１４０  操作部
１５０  制御部
１６０  光源駆動部
１７０  モータ駆動部
１８０  表示部
１９０  電源部
【図１】
2021535763.tif 000003
【図２】
2021535763.tif 000004
【図３】
2021535763.tif 000005
【図４（ａ）】
2021535763.tif 000006
【図４（ｂ）】
2021535763.tif 000007
【図５】
2021535763.tif 000008
【図６（ａ）】
2021535763.tif 000009
【図６（ｂ）】
2021535763.tif 000010
【図６（ｃ）】
2021535763.tif 000011
【図７（ａ）】
2021535763.tif 000012
【図７（ｂ）】
2021535763.tif 000013
【図８（ａ）】
2021535763.tif 000014
【図８（ｂ）】
2021535763.tif 000015
【図９】
2021535763.tif 000016
【国際調査報告】
2021535763.tif 000017
2021535763.tif 000018
2021535763.tif 000019
2021535763.tif 000020